(57)【要約】【課題】本発明は、集合写真を撮影する際に、集合写真に固有の不具合を容易に発見することができ、被撮影者全員が満足する集合写真を撮影することができる撮像装置を提供する。【解決手段】本発明に係る解決手段は、撮像部と、撮像部を操作する操作部２５と、撮像部で撮影された画像を表示する表示部２８，２９と、操作部２５の操作に応じて、撮像部が予備撮影を行うように制御する撮像制御部３７と、予備撮影で撮影された予備画像について、所定の解析を行い集合写真に固有の不具合の有無を判定する評価部３８と、評価部３８において予備画像が不具合を有していると判定した場合に、撮影者に不具合を報知する報知部３９とを備える。【選択図】図３
2006140695.tif 000002
【特許請求の範囲】
【請求項１】
撮像部と、
前記撮像部を操作する操作部と、
前記撮像部で撮影された画像を表示する表示部と、
前記操作部の操作に応じて、前記撮像部が予備撮影を行うように制御する撮像制御部と、
前記予備撮影で撮影された予備画像について、所定の解析を行い集合写真に固有の不具合の有無を判定する評価部と、
前記評価部において前記予備画像が前記不具合を有していると判定した場合に、撮影者に前記不具合を報知する報知部とを備える撮像装置。
【請求項２】
請求項１に記載の撮像装置であって、
前記報知部は、前記不具合の存在を示す表示と前記予備画像とを重ねて前記表示部に表示することを特徴とする撮像装置。
【請求項３】
請求項１又は請求項２に記載の撮像装置であって、
前記評価部は、
前記予備画像から輪郭を抽出する輪郭抽出部と、
前記輪郭抽出部で抽出した前記輪郭から人物を検出する人物検出部と、
前記人物検出部で検出した前記人物のうち顔部分を抽出する顔抽出部と、
前記顔部分の画像状況に基づいて、当該顔部分と他の人物との重なりの有無を判定する判定部とを備え、前記重なりの有無を、前記不具合の有無として判定することを特徴とする撮像装置。
【請求項４】
請求項３に記載の撮像装置であって、
前記報知部は、前記判定部が判定した前記顔部分と他の人物とが重なっている部分を強調して前記表示部に表示することを特徴とする撮像装置。
【請求項５】
請求項１乃至請求項４のいずれか１つに記載の撮像装置であって、
前記報知部は、予備撮影の更新に伴って前記不具合が解消された場合に、本撮影を行うことを促す表示を前記表示部に表示させることを特徴とする撮像装置。
【請求項６】
請求項１乃至請求項４のいずれか１つに記載の撮像装置であって、
前記撮像制御部は、予備撮影の更新に伴って前記不具合が解消されるまで、本撮影を禁止することを特徴とする撮像装置。
【請求項７】
請求項１乃至請求項４のいずれか１つに記載の撮像装置であって、
前記操作部は、レリーズ釦を備え、
前記撮像制御部は、前記レリーズ釦の半押し操作に応じて、前記撮像部が予備撮影を行うように制御し、予備撮影の更新に伴って前記予備画像の前記不具合が解消されるまで、前記レリーズ釦の全押し操作に応じた本撮影を禁止することを特徴とする撮像装置。
【請求項８】
設定モードとして、複数の被写体を集合させて撮影を行う場合の集合写真モードを選択することが可能な撮像装置であって、
前記集合写真モードにおいて能動化される手段群として、
撮像部において繰り返し撮影を行うライブビュー手段と、
前記ライブビュー手段により撮影された画像について、所定の解析を行い集合写真に固有の不具合の有無を判定する評価手段と、
前記評価手段において前記画像が前記不具合を有していると判定した場合に、前記画像に前記不具合の存在を示す表示を重ねて表示することで、撮影者に前記不具合を報知する報知手段とを備えることを特徴とする撮像装置。
【請求項９】
請求項８に記載の撮像装置であって、
前記集合写真モードにおいて能動化される前記手段群として、
予備撮影の更新に伴って前記画像の前記不具合が解消されるまで、本撮影を禁止する手段をさらに備えることを特徴とする撮像装置。
【請求項１０】
請求項８又は請求項９に記載の撮像装置であって、
予備撮影に基づく予備画像から輪郭を抽出し、前記輪郭から人物を検出することで、前記予備画像に複数の人物が存在していることを認識した場合に、前記設定モードを前記集合写真モードに自動で切り換える切換手段をさらに備えることを特徴とする撮像装置。
【発明の詳細な説明】
【技術分野】
【０００１】
本発明は、撮像装置に係る発明であって、特に、最適な集合写真が撮影可能な撮像装置に関するものである。
【背景技術】
【０００２】
観光地などにおいては、多数の被撮影者（人物）を集合させ集合写真を撮影することがよく行われる。しかし、集合写真は、隣接する人物間の距離が近いため、顔が隣接する人物に重なり隠れ不具合が生じる問題点があった。また、被撮影者が多数であるため、被撮影者全員の目つむり、よそ見や顔のぶれなどの不具合を、撮影者が撮影前に全て把握することができない問題点があった。そこで、これら集合写真に固有の不具合をできるだけ回避するために、銀塩カメラでは複数回撮影を行い、その中で最適と思われる写真を選択していた。
【０００３】
また、デジタルカメラの場合においても、集合写真に固有の不具合をできるだけ回避するために、複数回撮影が行われている。さらに、特許文献１では、カメラのシャッター釦が押されると、制御部が連写撮影を行い、撮影した複数の画像から各自が好む画像を選択して、１枚の集合写真に合成する発明が開示されている。
【０００４】
【特許文献１】特開２００１−４５３５５号公報
【発明の開示】
【発明が解決しようとする課題】
【０００５】
しかし、銀塩カメラの場合、現像後でないと撮影した画像が確認できないため、撮影した全ての画像に不具合を有している場合もあり集合写真に固有の不具合を必ずしも解消できない問題があった。また、デジタルカメラの場合、撮影した画像をすぐに確認できるが、当該画像から不具合部分を探し出し、人物の立ち位置を修正し、再度撮影する作業を繰り返す必要があるので、観光地などで撮影される集合写真では時間的制限があるため、不具合を回避するのにも限度があった。なお、このような場合、撮影者には短時間で不具合部分を探し出さなければならないとの心理的負担が大きくなる問題があった。
【０００６】
さらに、特許文献１の場合では、撮影とは別に複数の画像を合成する処理が必要となるので、容易に行うことは困難であった。また、連写撮影した画像全てに不具合があると、特許文献１の方法を用いても不具合は解消することができない。
【０００７】
なお、集合写真において、被撮影者の人数が多くなると顔が隠れる不具合の生じる確率が高くなる。また、集合写真に固有の不具合のうち、目つむり、よそ見や顔のぶれについては、撮影者が注意を促すことで、ある程度防ぐことは可能であるが、顔の隠れについては、被撮影者本人の目が隠れる程度でなければ、被撮影者本人が気づかないので防ぐことは難しい。
【０００８】
そこで、本発明は、集合写真を撮影する際に、集合写真に固有の不具合を容易に発見することができ、被撮影者全員が満足する集合写真を撮影することができる撮像装置を提供することを目的とする。
【課題を解決するための手段】
【０００９】
上記の課題を解決するため、請求項１の発明は、撮像部と、撮像部を操作する操作部と、撮像部で撮影された画像を表示する表示部と、操作部の操作に応じて、撮像部が予備撮影を行うように制御する撮像制御部と、予備撮影で撮影された予備画像について、所定の解析を行い集合写真に固有の不具合の有無を判定する評価部と、評価部において予備画像が不具合を有していると判定した場合に、撮影者に不具合を報知する報知部とを備える。
【００１０】
また、請求項２の発明は、請求項１に記載の撮像装置であって、報知部は、不具合の存在を示す表示と予備画像とを重ねて表示部に表示する。
【００１１】
また、請求項３の発明は、請求項１又は請求項２に記載の撮像装置であって、評価部は、予備画像から輪郭を抽出する輪郭抽出部と、輪郭抽出部で抽出した輪郭から人物を検出する人物検出部と、人物検出部で検出した人物のうち顔部分を抽出する顔抽出部と、顔部分の画像状況に基づいて、当該顔部分とが他の人物との重なりの有無を判定する判定部とを備え、重なりの有無を、不具合の有無として判定する。
【００１２】
また、請求項４の発明は、請求項３に記載の撮像装置であって、報知部は、判定部が判定した顔部分と他の人物とが重なっている部分を強調して表示部に表示する。
【００１３】
また、請求項５の発明は、請求項１乃至請求項４のいずれか１つに記載の撮像装置であって、報知部は、予備撮影の更新に伴って不具合が解消された場合に、本撮影を行うことを促す表示を表示部に表示させる。
【００１４】
また、請求項６の発明は、請求項１乃至請求項４のいずれか１つに記載の撮像装置であって、撮像制御部は、予備撮影の更新に伴って不具合が解消されるまで、本撮影を禁止する。
【００１５】
また、請求項７の発明は、請求項１乃至請求項４のいずれか１つに記載の撮像装置であって、操作部は、レリーズ釦を備え、撮像制御部は、レリーズ釦の半押し操作に応じて、撮像部が予備撮影を行うように制御し、予備撮影の更新に伴って予備画像の不具合が解消されるまで、レリーズ釦の全押し操作に応じた本撮影を禁止する。
【００１６】
また、請求項８の発明は、設定モードとして、複数の被写体を集合させて撮影を行う場合の集合写真モードを選択することが可能な撮像装置であって、集合写真モードにおいて能動化される手段群として、撮像部において繰り返し撮影を行うライブビュー手段と、ライブビュー手段により撮影された画像について、所定の解析を行い集合写真に固有の不具合の有無を判定する評価手段と、評価手段において画像が不具合を有していると判定した場合に、画像に不具合の存在を示す表示を重ねて表示することで、撮影者に不具合を報知する報知手段とを備える。
【００１７】
また、請求項９の発明は、請求項８に記載の撮像装置であって、集合写真モードにおいて能動化される手段群として、予備撮影の更新に伴って画像の不具合が解消されるまで、本撮影を禁止する手段をさらに備える。
【００１８】
また、請求項１０の発明は、請求項８又は請求項９に記載の撮像装置であって、予備撮影に基づく予備画像から輪郭を抽出し、輪郭から人物を検出することで、予備画像に複数の人物が存在していることを認識した場合に、設定モードを、集合写真モードに自動で切り換える切換手段をさらに備える。
【発明の効果】
【００１９】
請求項１に記載の撮像装置は、評価部において予備画像が集合写真に固有の不具合を有していると判定した場合に、撮影者に不具合を報知するので、集合写真を撮影する際に、集合写真に固有の不具合を容易に発見することができ、被撮影者全員が満足する集合写真を撮影することができる効果がある。また、本発明に記載の撮像装置は、集合写真を撮影する際の撮影者の心理的負担を軽減することができる。
【００２０】
請求項２に記載の撮像装置は、報知部が、不具合の存在を示す表示と予備画像とを重ねて表示部に表示するので、撮影者は集合写真に固有の不具合を容易に発見することができ、心理的負担を軽減することができる。
【００２１】
請求項３に記載の撮像装置は、輪郭抽出部と、人物検出部と、顔抽出部と、判定部とを備え、重なりの有無を、不具合の有無として判定するので、顔部分が他の人物と重なる、集合写真に固有の不具合の有無を判定することができる。
【００２２】
請求項４に記載の撮像装置は、報知部が、判定部で判定した顔部分と他の人物とが重なっている部分を強調して表示部に表示するので、撮影者は集合写真に固有の不具合を容易に発見することができ、心理的負担を軽減することができる。
【００２３】
請求項５に記載の撮像装置は、不具合が解消された場合に、報知部が、予備撮影の更新に伴って本撮影を行うことを促す表示を表示部に表示させるので、集合写真に固有の不具合を有することなく集合写真を撮影することができる。
【００２４】
請求項６に記載の撮像装置は、撮像制御部が、予備撮影の更新に伴って不具合が解消されるまで、本撮影を禁止するので、集合写真に固有の不具合を有する場合に、撮影者が誤って撮影することを防止することができる。
【００２５】
請求項７に記載の撮像装置は、レリーズ釦の半押し操作に応じて、撮像部が予備撮影を行うように制御し、予備撮影の更新に伴って予備画像の不具合が解消されるまで、レリーズ釦の全押し操作に応じた本撮影を禁止するので、集合写真に固有の不具合の判定から本撮影までのタイムラグを短縮することができる。
【００２６】
請求項８に記載の撮像装置は、集合写真モードにおいて能動化される手段群として、ライブビュー手段と、評価手段と、報知手段とを備えるので、集合写真を撮影する際に、集合写真に固有の不具合を容易に発見することができ、被撮影者全員が満足する集合写真を撮影することができる効果がある。
【００２７】
請求項９に記載の撮像装置は、集合写真モードにおいて能動化される手段群として、予備撮影の更新に伴って画像の不具合が解消されるまで、本撮影を禁止する手段をさらに備えるので、集合写真に固有の不具合を有する場合に、撮影者が誤って撮影することを防止することができる。
【００２８】
請求項１０に記載の撮像装置は、設定モードを、集合写真モードに自動で切り換える切換手段をさらに備えるので、撮影者が集合写真モードに設定し忘れるのを防止することができる。
【発明を実施するための最良の形態】
【００２９】
（実施の形態１）
図１に、本実施の形態に係る撮像装置の正面外観図、図２に、本実施の形態に係る撮像装置の背面外観図をそれぞれ示す。図１に示す撮像装置１は、デジタルカメラとして構成されており、撮影レンズ２を備えている。また、撮像装置１は、フラッシュ３、マイク４及びレリーズ釦５が設けられている。
【００３０】
ここで、レリーズ釦５は、半押し状態と、さらに押し込まれた全押し状態とを検出可能な２段階スイッチになっている。静止画撮影モードにおいてレリーズ釦５が半押しされると、ＡＦ（autofocus）により合焦位置に撮影レンズ２が移動され、ＡＥ（autoexposure）が行われる。一方、静止画撮影モードにおいてレリーズ釦５が全押しされると、本撮影動作、つまり記録用の撮影動作が行われる。
【００３１】
図２では、撮像装置１の上面にモード設定ダイアル６が設けられている。このモード設定ダイアル６は、被写体を撮像してその静止画を記録する静止画撮影モードと、複数の被写体を集合させて撮像を行う場合の集合写真モードと、動画撮影を行う動画モードと、メモリカードに記録された画像を再生する再生モード等とを切替え設定するためのダイアルである。
【００３２】
撮像装置１の背面には、撮影された画像などを表示するＬＣＤ(Liquid Crystal Display)モニタ７と、電子ビューファインダー(ＥＶＦ)８と、ズーム釦（十字スイッチ）９と、自動トリミング釦１０と、各種設定釦１１が設けられている。
【００３３】
図３は、撮像装置１の機能ブロックを示す図である。撮像装置１は、撮像部を構成するＣＣＤ２１と、ＣＣＤ２１にタイミング信号を供給するタイミング制御回路２２と、ＣＣＤ２１から画像データ、タイミング制御回路２２からタイミング信号がそれぞれ供給される信号・画像処理部２３とを備えている。
【００３４】
また、撮像装置１には、制御部２４が設けられており、この制御部２４には、レリーズ釦５、モード設定ダイアル６や各種設定釦１１などの操作部２５での操作に応じて各種の制御を行う。例えば、制御部２４は、レンズ駆動部２６を制御してレンズ鏡胴２７を駆動して合焦位置に移動させる。また、制御部２４は、信号・画像処理部２３で処理した画像データをＥＶＦ２８やＬＣＤ２９で表示させたり、カードＩ／Ｆ３０を介してメモリカード３１に保存させたり、通信用Ｉ／Ｆ３２を介して外部に送信させたりする。また、制御部２４は、フラッシュ回路３３を制御して、フラッシュ３４を点灯させたり、マイク３５で音声を収録したり、スピーカー３６で音声を再生させたりする。
【００３５】
さらに、制御部２４について説明すると、制御部２４は、内部に撮像制御部３７、評価部３８及び報知部３９を備えている。撮像制御部３７は、操作部２５であるモード設定ダイアル６を集合写真モードにすると、当該操作に応じてＣＣＤ２１に予備撮影をさせ、撮影した画像を表示部であるＬＣＤ２９等に表示する。なお、予備撮影を連続で行うことにより、ＬＣＤ２９等に画像をライブビュー表示することも可能である。
【００３６】
また、評価部３８は、予備撮影で撮影された予備画像について、所定の解析を行い集合写真に固有の不具合の有無を判定する。ここで、集合写真に固有の不具合としては、目つむり、よそ見、顔の隠れや顔つぶれなどがある。そして、評価部３８は、所定の解析を行うために、例えば、輪郭抽出部４０、人物検出部４１、顔抽出部４２及び判定部４３を内部に備えている。
【００３７】
輪郭抽出部４０は、予備画像から輪郭を抽出し、人物検出部４１は、輪郭抽出部４０で抽出した輪郭の幾何学的特徴に基づいて予備画像から複数の被撮影者のそれぞれの人物部分を特定し検出する。さらに、顔抽出部４２では、人物検出部４１で特定した人物部分から顔部分をそれぞれ抽出する。判定部４３では、顔抽出部４２で抽出した顔部分に、集合写真に固有の不具合が存在するか否かを判定する。
【００３８】
例えば、予備画像に顔の隠れが存在するか否かを判定する場合、判定部４３は、抽出した顔部分から輪郭を検出し、当該輪郭が略円形であれば顔の隠れは存在せず、当該輪郭が略円形でなければ顔の隠れが存在すると判定する。また、別の判定方法として、判定部４３は、抽出した顔部分から肌色部分を検出し、当該肌色部分の面積が他の人物の顔部分から検出した肌色部分の面積と比較して極端に小さければ顔の隠れが存在すると判定する。また、別の判定方法として、判定部４３は、抽出した顔部分に目、鼻、口などの部位が揃っているか検出することで顔の隠れが存在するかを判定する。さらに、顔の隠れを判定する別の方法としては、輪郭抽出と肌色部分の検出を組合わせて、人物の顔部分を特定し、顔部分の重心位置を算出して、各重心位置どうしの間隔から、顔が重なっていることを推定する方法もある。
【００３９】
予備画像に、目つむり、よそ見、顔のぶれなどが存在するか否かを判定する場合、判定部４３は、抽出した顔部分に目、鼻、口などの部位が揃っているか検出することで目つむり、よそ見、顔のぶれなどが予備画像に存在するかを判定することができる。なお、人物検出や顔部分の抽出などは、公知の文献（例えば特開２０００−９９６９１）などに詳しく記載されている。
【００４０】
また、評価部３８は、集合写真に撮影される被撮影者数が事前に入力されていれば、抽出した顔部分の数と比較することができる。当該比較により、被撮影者の顔が完全に隠れてしまっている場合や、被撮影者が全員揃っていない場合も判定することができる。なお、上記の内容を用いれば、被撮影者が全員揃っているか否かの確認機能付きの撮像装置１と考えることもできる。
【００４１】
次に、報知部３９は、評価部３８で予備画像に集合写真に固有の不具合が存在すると判定した場合、具体的には、複数の被撮影者のそれぞれの顔部分のうちひとつ以上の顔部分に重なりがあると判定されると、当該不具合を撮影者に報知する。報知する方法として、例えば、報知部３９は、不具合の存在を示す表示と予備画像とを重ねて表示部であるＬＣＤ２９等に表示する。具体的に、集合写真の予備撮影において、図４に示すような予備画像が得られた場合、評価部３８は、人物４５の顔が隠れている不具合が存在すると判定し、報知部３９は、図５に示すように、人物４５の顔が他の人物とが重なっている部分を強調してＬＣＤ２９に表示している。なお、図５では、破線の円形マーク４６を点滅させることで、不具合を強調している。
【００４２】
次に、図６に示すフローチャートに基づいて、本実施の形態に係る撮像装置１の動作を説明する。まず、ステップＳＰ１において、撮像装置１の電源スイッチをオンして、撮像装置１を起動させる。ステップＳＰ２において、モード設定ダイアル６を集合写真モードに設定する。ステップＳＰ３において、ＣＣＤ２１により予備撮影が連続して行われる。
【００４３】
そして、ステップＳＰ４において、撮影した予備画像をＬＣＤ２９等にライブビュー表示する。ステップＳＰ５において、評価部３８が、予備画像から人物検出を行う。ここで、ステップＳＰ５において行われる人物検出には、輪郭抽出部４０での予備画像からの輪郭抽出と、人物検出部４１での輪郭に基づく予備画像からの人物部分の検出と、さらに、顔抽出部４２での人物部分からの顔部分の抽出とが含まれている。
【００４４】
次に、ステップＳＰ６では、判定部４５が、抽出した顔部分に他の人物などと重なる不具合が存在するか否かについて重なり判定を行う。ステップＳＰ６において不具合が存在していると判定された場合は、ステップＳＰ７において、当該不具合部分を強調して表示する。撮影者は、ＬＣＤ２９等で不具合を確認した場合、ステップＳＰ８においてレリーズ釦５の半押しを行わずに、ステップＳＰ９において当該不具合を解消するために構図変更（人物の立ち位置等の変更）を行う。構図変更を行った後は、ステップＳＰ３以降の処理が繰り返される。
【００４５】
ステップＳＰ３からステップＳＰ９までの処理について、図７（ａ）から図７（ｆ）までに示す表示に基づいて具体的に説明する。まず、ステップＳＰ３において、予備撮影を行い図７（ａ）に示す集合写真の予備画像を得る。そして、ステップＳＰ５において、この予備画像から図７（ｂ）に示すように顔部分を抽出する。ステップＳＰ６において、抽出した顔部分のうち、顔が隠れる不具合の有無を判定する。図７（ｂ）では、斜線のハッチングが付されている顔に不具合が存在している。
【００４６】
ステップＳＰ７では、図７（ａ）に示す斜線のハッチングで、不具合が存在する人物の顔を強調表示している。また、図７（ａ）では、撮影者に不具合をより認識させるために、不具合の近傍にＮＧ表示を付している。
【００４７】
不具合を認識した撮影者は、ステップＳＰ９において構図変更を行うことによって予備撮影を更新する。図７（ｃ）では、左右の端に位置する人物が矢印方向に移動する構図変更が行われている。この構図変更後、再度ステップＳＰ３からステップＳＰ７までの処理を行う。図７（ｄ）は、構図変更後の予備画像から抽出した顔部分であり、不具合が存在する顔部分には斜線のハッチングが付されている。また、ステップＳＰ７では、図７（ｃ）に示す斜線のハッチングで、不具合が存在する人物の顔を強調表示すると共に、不具合が解消された近傍にＯＫ表示、不具合の近傍にＮＧ表示が付されて表示される。
【００４８】
不具合を再度認識した撮影者は、ステップＳＰ９において再構図変更を行う。図７（ｅ）では、右の端に位置する人物と中央の人物３人が矢印方向に移動する再構図変更が行われている。この再構図変更後、再度ステップＳＰ３からステップＳＰ７までの処理を行う。図７（ｆ）は、再構図変更後の予備画像から抽出した顔部分で、当該顔部分に不具合が存在しないことを示している。また、ステップＳＰ７では、図７（ｅ）に示すＯＫ表示のように、不具合が解消されたことを表示している。
【００４９】
上記のように予備撮影を更新し、予備画像において集合写真に固有の不具合を全て解消した後に、撮影者はステップＳＰ８においてレリーズ釦５の半押しを行う。これにより、ステップＳＰ１０において、ＡＦ及びＡＥの処理がなされる。次に、ステップＳＰ１１において、撮影者がレリーズ釦５の全押しを行うの待つ。撮影者がレリーズ釦５の全押しを行った場合は、ステップＳＰ１２において本撮影を行う。続いて、ステップＳＰ１３において、本撮影で撮影された画像をメモリカード３１に記録し、その後終了する。
【００５０】
なお、図６に示すフローチャートでは、顔が隠れる不具合のみが存在する予備画像について説明している。しかし、本発明は、集合写真に固有の不具合であれば図６示すフローチャートと同様に処理を行うことができる。そこで、集合写真に固有の不具合のうち顔の隠れとよそ見とが存在する予備画像について以下に説明する。
【００５１】
まず、図８（ａ）に示すように、１人の人物の顔が隠れる不具合が存在する予備画像の場合、ステップＳＰ６において不具合が判定される。判定された当該不具合は、ステップＳＰ７において図８（ａ）に示すように斜線のハッチングとＮＧ表示とで強調表示される。なお、図８（ｂ）は、図８（ａ）に示す予備画像に対してステップＳＰ５で抽出される顔部分（目を含む）が示されている。
【００５２】
撮影者は、図８（ａ）に示す不具合を確認するとステップＳＰ９において構図変更を行う。図８（ａ）の構図変更は、図８（ｃ）に示す矢印の方向に各被撮影者が移動することで行う。この構図変更後の画像に対してステップＳＰ６の重なり判定を行っても不具合は検出されないが、よそ見判定（図６のフローチャートには図示せず）を行うと、左から２番目の人物がよそ見をしている不具合が発見される。ここで、よそ見判定は、判定部４３で行われ、ステップＳＰ５で抽出した顔部分に目、鼻、口などの部位が揃っているか検出することで判定される。図８（ｄ）に示す例では、目が２つ揃っているか否かで、よそ見をしているか否かを判断している。なお、図８（ｄ）は、図８（ｃ）に示す予備画像に対してステップＳＰ５で抽出される顔部分（目を含む）が示されている。
【００５３】
ステップＳＰ７において、よそ見している人物の顔を網掛けハッチングするとともに、ＮＧ表示を付して、図８（ｃ）のように強調表示している。撮影者は、図８（ｃ）の表示を確認してステップＳＰ９において再構図変更を行う。図８（ｃ）の再構図変更は、図８（ｅ）に示すようによそ見をしている被撮影者に撮像装置１の方向に向かせる。再構図変更後の予備画像に対して重なり判定やよそ見判定を行っても不具合は検出されないので、ＯＫ表示が付され図８（ｅ）のようにＯＫ表示がなされる。なお、図８（ｆ）は、図８（ｅ）に示す予備画像に対してステップＳＰ５で抽出される顔部分（目を含む）が示されている。
【００５４】
以上のように、本実施の形態に係る撮像装置１は、予備撮影で撮影された予備画像について、所定の解析を行い集合写真に固有の不具合の有無を判定し、予備画像が不具合を有していると判定した場合に、撮影者に不具合を報知するので、集合写真に固有の不具合を回避することができ、失敗のない集合写真を撮影することができる。また、本実施の形態に係る撮像装置１を使用することで、集合写真を撮影する撮影者の心理的負担を軽減することができる。
【００５５】
（実施の形態２）
本実施の形態に係る撮像装置１は、図６に示すフローチャートとは異なる動作を行う。図９は、本実施の形態に係る撮像装置１の動作を示すフローチャートである。なお、図９に示すフローチャートにおいて、図６に示すフローチャートと同じ処理を行うステップは同じ符号を付している。
【００５６】
まず、ステップＳＰ１において、撮像装置１の電源スイッチをオンして、撮像装置１を起動させる。次に、ステップＳＰ２０において、撮影者が撮影したいモードをモード設定ダイアル６で設定する。ステップＳＰ２１において、集合写真モードが設定されたかを判断する。ここで、集合写真モードに設定された場合は、ステップＳＰ３に進み、集合写真モード以外に設定された場合は、ステップＳＰ８に進む。
【００５７】
次に、ステップＳＰ３において、ＣＣＤ２１により予備撮影が連続して行われる。そして、ステップＳＰ４において、撮影した予備画像をＬＣＤ２９等にライブビュー表示する。本実施の形態では、ライブビュー表示されている予備画像のうち、集合写真に固有の不具合の有無を判定する予備画像を撮影者が任意に選択することができる。つまり、ステップＳＰ２２において、撮影者が操作部２５の確認釦をオンしたかを判断し、確認釦をオンした場合は、ステップＳＰ５に進み、オンしたときの予備画像に対して集合写真に固有の不具合の有無を判定する。一方、確認釦がオフの場合は、ステップＳＰ３及びステップＳＰ４を繰り返す。
【００５８】
ステップＳＰ５において、撮影者が選択した予備画像に対し、評価部３８が人物検出を行う。次に、ステップＳＰ６において、抽出した顔部分が他の人物などと重なる不具合が存在するか否かについての重なり判定を行う。ステップＳＰ２３では、ステップＳＰ６において不具合が存在していると判定された場合、ステップＳＰ７に進み、不具合が存在していないと判定された場合、ステップＳＰ２４に進む。
【００５９】
本実施の形態では、実施の形態１とは異なり、予備画像に不具合が存在している場合、撮影者は本撮影を行うことが禁止されている。つまり、ステップＳＰ６において、不具合が存在していないと判定されるまで、ステップＳＰ９において構図変更を行う必要がある。
【００６０】
ステップＳＰ６において、不具合が存在していないと判定されると、ステップＳＰ２４でＯＫ表示がＬＣＤ２９等に表示され、撮影者に本撮影を行うことを促す。ステップＳＰ２４においてＯＫ表示がなされると、ステップＳＰ８において、撮像装置１は、レリーズ釦５の半押しが行われるのを待つ。これにより、ステップＳＰ１０において、ＡＦ及びＡＥの処理がなされる。次に、ステップＳＰ１１において、撮像装置１は、撮影者がレリーズ釦５の全押しを行うの待つ。撮影者がレリーズ釦５の全押しを行った場合は、ステップＳＰ１２において本撮影を行う。続いて、ステップＳＰ１３において、本撮影で撮影された画像をメモリカード３１に記録し、その後終了する。
【００６１】
以上のように、本実施の形態に係る撮像装置１は、不具合が解消されるまで、本撮影を禁止することができるので、撮影者が誤ってレリーズ釦５を押し、不具合を有する集合写真を撮影してしまうことを防止することができる。
【００６２】
（実施の形態３）
本実施の形態に係る撮像装置１は、図６及び図９に示すフローチャートとは異なる動作を行う。図１０は、本実施の形態に係る撮像装置１の動作を示すフローチャートである。なお、図１０に示すフローチャートにおいて、図６に示すフローチャートと同じ処理を行うステップは同じ符号を付している。
【００６３】
まず、ステップＳＰ１において、撮像装置１の電源スイッチをオンして、撮像装置１を起動させる。ステップＳＰ２において、モード設定ダイアル６を集合写真モードに設定する。次に、ステップＳＰ３において、ＣＣＤ２１により予備撮影が連続して行われる。そして、ステップＳＰ４において、撮影した予備画像をＬＣＤ２９等にライブビュー表示する。本実施の形態でも、実施の形態２同様、ライブビュー表示される予備画像のうち、集合写真に固有の不具合の有無を判定する予備画像を撮影者が任意に選択することができる。
【００６４】
しかし、本実施の形態に係る撮像装置１では、操作部２５の確認釦を用いずに、レリーズ釦５を半押したときに予備画像を選択する構成としている点で実施の形態２と異なる。つまり、ステップＳＰ８において、撮影者がレリーズ釦５の半押しを行ったかを判断し、レリーズ釦５の半押しを行った場合は、ステップＳＰ１０、ステップＳＰ５へと進み、レリーズ釦５の半押しを行ったときの予備画像に対して集合写真に固有の不具合の有無を判定する。一方、レリーズ釦５の半押しを行わない場合は、ステップＳＰ３及びステップＳＰ４を繰り返す。
【００６５】
ステップＳＰ１０において、ＡＦ及びＡＥの処理がなされる。そして、ステップＳＰ５において、撮影者が選択した予備画像に対して、評価部３８が人物検出を行う。次に、ステップＳＰ６において、抽出した顔部分が他の人物などと重なる不具合が存在するかについての重なり判定を行う。ステップＳＰ２３では、ステップＳＰ６において不具合が存在していると判定された場合、ステップＳＰ７に進み、不具合が存在していないと判定された場合、ステップＳＰ２４に進む。
【００６６】
本実施の形態でも、実施の形態１と異なり、不具合が存在している場合、撮影者は本撮影を行うことが禁止される。つまり、ステップＳＰ６において、不具合が存在していないと判定されるまで、ステップＳＰ９において構図変更する必要がある。
【００６７】
ステップＳＰ６において、不具合が存在していないと判定されると、ステップＳＰ２４でＯＫ表示がＬＣＤ２９等に表示され、撮影者に撮影することを促す。ステップＳＰ２４でＯＫ表示されると、ステップＳＰ１１において、撮像装置１は、撮影者がレリーズ釦５の全押しを行うの待つ。撮影者がレリーズ釦５の全押しを行った場合は、ステップＳＰ１２において本撮影を行う。続いて、ステップＳＰ１３において、本撮影で撮影された画像をメモリカード３１に記録し、その後終了する。
【００６８】
以上のように、本実施の形態に係る撮像装置１は、レリーズ釦５を半押しにすることで、集合写真に固有の不具合の有無を判断する予備画像を選択できるので、予備撮影と本撮影のタイムラグを短縮でき、スムーズに本撮影を行うことができる。
【００６９】
なお、実施の形態１乃至実施の形態３に係る撮像装置１に、予備撮影に基づく予備画像から輪郭のみを抽出し、当該輪郭から人物を検出することで、予備画像に複数の人物が存在していることを認識した場合に、設定モードを集合写真モードに自動で切り換える切換手段をさらに設けても良い。この切換手段を撮像装置１に設けることにより、撮影者が集合写真モードに設定し忘れるのを防止することができる。ここで、切換手段は、例えば制御部２４内に設けることが可能である。
【図面の簡単な説明】
【００７０】
【図１】本発明の実施の形態１に係る撮像装置の正面外観図である。
【図２】本発明の実施の形態１に係る撮像装置の背面外観図である。
【図３】本発明の実施の形態１に係る撮像装置のブロック図である。
【図４】本発明の実施の形態１に係る撮像装置の表示を示す図である。
【図５】本発明の実施の形態１に係る撮像装置の表示を示す図である。
【図６】本発明の実施の形態１に係る撮像装置の動作を示すフロー図である。
【図７】本発明の実施の形態１に係る撮像装置において顔の隠れの不具合を含む表示を示す図である。
【図８】本発明の実施の形態１に係る撮像装置においてよそ見の不具合を含む表示を示す図である。
【図９】本発明の実施の形態２に係る撮像装置の動作を示すフロー図である。
【図１０】本発明の実施の形態３に係る撮像装置の動作を示すフロー図である。
【符号の説明】
【００７１】
１  撮像装置
２  撮影レンズ
３  フラッシュ
４  マイク
５  レリーズ釦
６  モード設定ダイアル
７，２９  ＬＣＤモニタ
８，２８  ＥＶＦ
９  十字スイッチ
１０  自動トリミング釦
１１  各種設定釦
２１  ＣＣＤ
２２  タイミング制御回路
２３  信号・画像処理部
２４  制御部
２５  操作部
２６  レンズ駆動部
２７  レンズ鏡胴
３０  カードＩ／Ｆ
３１  メモリカード
３２  通信用Ｉ／Ｆ
３３  フラッシュ回路
３４  フラッシュ
３５  マイク
３６  スピーカー
３７  撮像制御部
３８  評価部
３９  報知部
４０  輪郭抽出部
４１  人物検出部
４２  顔抽出部
４３  判定部
４５  人物
４６  円形マーク
【図１】
2006140695.tif 000003
【図２】
2006140695.tif 000004
【図３】
2006140695.tif 000005
【図４】
2006140695.tif 000006
【図５】
2006140695.tif 000007
【図６】
2006140695.tif 000008
【図７】
2006140695.tif 000009
【図８】
2006140695.tif 000010
【図９】
2006140695.tif 000011
【図１０】
2006140695.tif 000012